(57)【要約】      （修正有）【課題】手と足の双方を使うことにより全身バランスを取りながら，目を軽く閉じ瞑想して，安定性のある運動が出来，なおかつ，安全な自分だけの体型体圧振動体操寝台を提供する。【解決手段】寝台１の頭部の先に高さ・角度が調整できる体振動用取手２、３を設け，その寝台１の左右面に高さ・取付位置が調整できる，刺激突起４、４、５、５’、６、６’、７、７’、８、８’、９、９’、１０、１０’を装着することを特徴とする。【選択図】    図１
2004160112.tif 000002
【特許請求の範囲】
【請求項１】
寝台（１）の頭部の先に体振動取手（２），（３）を設ける。
【請求項２】
寝台（１）の左右面に，
（イ）天柱刺激突起（４）（４）’を設ける。
（ロ）風池刺激突起（５）（５）’を設ける。
（ハ）首筋刺激突起（６）（６）’を設ける。
（ニ）背筋刺激突起（７）（７）’を設ける。
（ホ）腰筋刺激突起（８）（８）’を設ける。
（ヘ）ふくらはぎ刺激突起（９）（９）’を設ける。
（ト）アキレス腱刺激突起（１０）（１０）’を設ける。
以上の構成によるなる，体圧を利用したことを特徴とする図１に示すような自分だけの体型体圧振動体操寝台。
【発明の詳細な説明】
【０００１】
【産業上の利用分野】
この発明は，自分だけの体型を利用した高さが調整できる板に，調整が任意に出来るようにした，請求項１，請求項２を装着した，自分だけの体型体圧振動体操寝台に関するものである。
【０００２】
【従来の技術】
従来，足の裏を刺激する運道具があった。
【０００３】
【発明が解決しようとする課題】
これには，次のような欠点があった。
（イ）足裏の部分に全体重がかかり難く単調であった。
（ロ）足裏の部分に限定されていた。
本発明は，これらの欠点を除くためになされたものである。
【０００４】
【課題を解決するための手段】
請求項１の高さ・角度が調整できる，寝台（１）の頭部の先に，体振動用取手（２）（３）を設け，請求項２の高さ・取付位置が調整できる，（４）（４）’，（５）（５）’，（６）（６）’，（７）（７）’，（８）（８）’，（９）（９）’，（１０）（１０）’を装着する。
本発明は，以上のような構成よりなる，自分だけの体型体圧振動体操寝台である。
【０００５】
【作用】
上向き又は下向きに寝た状態で請求項１の，（２）又は（３）を両手又は片手で握り，目を軽く閉じ瞑想して，体に小さな振動を加えながら請求項２の任意の部分を利用して従来，考えられた体操，又は，全く新しい体操の型に体圧を加え瞑想して体操ができる。
【０００６】
【実施例】
以下，本発明の実施例について説明する。
（イ）高さが調整できる寝台（１）の頭部の先に高さ・角度が調整できる，体振動用取手（２）（３）を設ける。
（ロ）高さが調整できる寝台（１）の左右両面に，高さ・取付位置が調整できる，請求項２の（４）（４）’，（５）（５）’，（６）（６）’，（７）（７）’，（８）（８）’，（９）（９）’，（１０）（１０）’を装着する。
（ハ）振動はそのときの状態によって加えても加えなくてもよい。
（ニ）必ず従来の敷き布団当を敷いて下さい。
【０００７】
【発明の効果】
本発明は，以上説明したように構成されているので，以下に説明されるような効果を奏する。
（イ）上向き又は下向きに寝た状態で目をかるく閉じ瞑想しバランスをとりながら安定性のある振動体圧運動をすることができ，極めて安全である。
（ロ）また，このまま寝台としても利用できる。
（ハ）従って，寝たきり，又は，病気上がりの人の機能回復運道具としてもよい。
（ニ）特に自疆術体操，エアロビ体操等に効果がある。
【図面の簡単な説明】
【図１】本発明の斜視図である。
【図２】本発明の正面図である。
【符号の説明】
１            寝台
２            上向き体振動用取手
３            下向き体振動用取手
４，４’      天柱刺激突起
５，５’      風池刺激突起
６，６’      首筋刺激突起
７，７’      背筋刺激突起
８，８’      腰筋刺激突起
９，９’      ふくらはぎ刺激突起
１０，１０’  アキレス腱刺激突起
【図１】
2004160112.tif 000003
【図２】
2004160112.tif 000004
【手続補正書】
【提出日】平成14年12月18日(2002.12.18)
【手続補正１】
【補正対象書類名】明細書
【補正対象項目名】全文
【補正方法】変更
【補正の内容】
【特許請求の範囲】
【請求項１】寝台（１）の頭部の先に上向き体振動用取って（２），下向き体振動用取って（３）を設ける。
【請求項２】寝台（１）の左右面に，
（イ）天柱指圧突起（４）（４）’を設ける。
（ロ）風池指圧突起（５）（５）’を設ける。
（ハ）首筋指圧突起（６）（６）’を設ける。
（ニ）背筋指圧突起（７）（７）’を設ける。
（ホ）腰筋指圧突起（８）（８）’を設ける。
（ヘ）ふくらはぎ指圧突起（９）（９）’を設ける。
（ト）足指圧突起（１０）（１０）’を設ける。
以上の構成によりなる，指圧突起を利用したことを特徴とする図１に示すような自分だけの体型体圧振動体操寝台。
【発明の詳細な説明】
【０００１】
【産業上の利用分野】
本発明は，自分だけの体型を利用した，寝台（１）に調整が任意に出来るようにした，請求項１，請求頃２を装着した，自分だけの体型体圧振動体操寝台に関するものである。
【０００２】
【従来の技術】
従来，足の裏を指圧する運動具があった。
【０００３】
【発明が解決しようとする課題】
これには，次のような欠点があった。
（イ）足裏の部分に全体重が加わり難しく単調であった。
（ロ）指圧が足裏の部分に限定されていた。
本発明は，これらの欠点を除くためになされたものである。
【０００４】
【課題を解決するための手段】
自分だけの体型を利用した，寝台（１）の頭部の先に高さ・角度が調整できる上向き体振動用取って（２），下向き体振動用取って（３）を設け，（１）の左右面に請求項２の高さ・取り付け位置が調整できる指圧突起  （４）（４）’，（５）（５）’，（６）（６）’，（７）（７）’，（８）（８）’，（９）（９）’，（１０）（１０）’を装着する。
本発明は，以上のような構成よりなる，自分だけの体型体圧振動体操寝台である。
【０００５】
【作用】
上向き又は下向きに寝た状態で請求項１の，（２）又は（３）を両手又は片手で握り，目を軽く閉じ瞑想して，体に小さな振動を加えながら請求項２の任意の部分を利用して従来，考えられた体操，又は全く新しい体操の型に体圧を加え瞑想して体操する。
【０００６】
【実施例】
以下，本発明の実施例について説明する。
（イ）寝台（１）の頭部の先に，高さ・角度が調整できる上向き体振動用取って（２），下向き体振動用取って（３）を設ける。
（ロ）寝台（１）の左右面に高さ・取り付け位置が調整できる，請求項２の，（４）（４）’，（５）（５）’，（６）（６）’，（７）（７）’，（８）（８）’，（９）（９）’，（１０）（１０）’を装着する。
（ハ）振動は，その時の状態によって加えても加えなくてもよい。
（ニ）寝台（１）に従來の敷布団等を敷いてください。
【０００７】
【発明の効果】
本発明は，以上説明したように構成されているので，以下に記載されるような効果を奏する。
（イ）上向き又は下向きに寝た状態で，目を軽く閉じ瞑想しバランスをとりながら安定性のある体圧振動体操をする事ができ，きわめて安全である。
（ロ）また，このまま寝台としても利用できる。
（ハ）従って，寝たきり又は病気上がり等の人の機能回復運動具としてもよい。
（ニ）特に自きょう術体操，エアロビ体操等に効果がある。
【図面の簡単な説明】
【図１】本発明の斜視図である。
【図２】本発明の正面図である。
【符号の説明】
１          寝台
２          上向き体振動用取って。
３          下向き体振動用取って。
４，４’    天柱指圧突起。
５，５’    風池指圧突起。
６，６’    首筋指圧突起。
７，７’    背筋指圧突起。
８，８’    腰筋指圧突起。
９，９’    ふくらはぎ指圧突起。
１０，１０’足指圧突起。